(57)【要約】【課題】簡易な構造で充電終了を知ることのできる電気自動車の充電終了案内システムの提供を目的とする。【解決手段】電気自動車１への充電時に、電気自動車１への充電所要時間を演算する充電時間演算装置２と、  充電時間演算装置２からの出力を受信して充電終了情報を取得する充電終了情報取得部３、および充電終了情報を所持者に知らせる充電終了報告部４を携帯可能なケース５内に収容した携帯器６と、  を有する電気自動車の充電終了案内システム【選択図】  図１
2010158133.tif 000002
【特許請求の範囲】
【請求項１】
電気自動車に搭載され、充電時の充電所要時間を算定可能な充電終了情報を演算する充電時間演算装置と、
充電終了情報を受信する充電終了情報取得部、および充電終了情報を所持者に知らせる充電終了報告部を携帯可能なケース内に収容した携帯器と、
を有する電気自動車の充電終了案内システム。
【請求項２】
前記携帯器には、前記充電終了情報に基づいて終了時を計時するタイマが設けられるとともに、
前記充電終了報告部は、タイマのタイムアップ時に終了警告を発する請求項１記載の電気自動車の充電終了案内システム。
【請求項３】
情報要求スイッチと、この情報要求スイッチへの押下操作により起動されて充電終了情報の更新情報を問い合わせる問い合わせ部を備える請求項１または２記載の電気自動車の充電終了案内システム。
【請求項４】
前記携帯器は、前記電気自動車のキーレースエントリーシステムに対する認証キーを兼用する請求項１、２または３記載の電気自動車の充電終了案内システム。
【請求項５】
電気自動車の充電装置による充電時に電気自動車の充電終了情報を取得する充電終了情報取得部と、
充電終了情報を所持者に知らせる充電終了報告部とを携帯可能なケースに収容した充電終了案内用携帯器。
【発明の詳細な説明】
【技術分野】
【０００１】
本発明は、電気自動車の充電終了案内システムに関するものである。
【背景技術】
【０００２】
電気自動車の充電状態を表示する装置としては特許文献１に記載のものが知られている。この従来例において、電気自動車の室内、あるいは車体外面に表示パネルが配置され、充電装置による充電の際、充電に要する時間等が表示されるように構成される。しかし、この従来例において、車両を離れるときには、表示されている充電終了時間等を記憶しておくことが必要であり、使い勝手が悪いという欠点がある。
【０００３】
この問題は、特許文献２に記載されるように、携帯電話等のユーザの通信端末にサーバから充電終了時間を知らせることによって解決することができるが、この場合、サーバを別途設置する必要がある上に、利用者に通信費の負担を強いることとなるという問題がある。
【先行技術文献】
【特許文献】
【０００４】
【特許文献１】特開平９-２８５０２２号公報
【特許文献２】特開２００６-７４８６８号公報
【発明の概要】
【発明が解決しようとする課題】
【０００５】
本発明は、以上の欠点を解消すべくなされたものであって、簡易な構造で充電終了を知ることのできる電気自動車の充電終了案内システムの提供を目的とする。また、本発明の他の目的は、上記充電終了案内システムに使用可能な充電終了案内用携帯器の提供にある。
【課題を解決するための手段】
【０００６】
本発明によれば上記目的は、
電気自動車１に搭載され、充電時の充電所要時間を算定可能な充電終了情報を演算する充電時間演算装置２と、
充電終了情報を受信する充電終了情報取得部３、および充電終了情報を所持者に知らせる充電終了報告部４を携帯可能なケース５内に収容した携帯器６と、
を有する電気自動車の充電終了案内システムを提供することにより達成される。
【０００７】
充電終了案内システムは、携帯器６と、電気自動車１に搭載される充電時間演算装置２とを使用して運用され、充電が開始されると、充電終了情報が充電時間演算装置２により演算される。充電終了情報には、満充電までの所要時間のほかに、例えば、バッテリ充電率等、充電時間が算出可能な種々の値であってもよい。
【０００８】
充電終了情報としての充電所要時間は、例えば、電気自動車１のバッテリの電流、電圧を検出し、バッテリの充電電圧特性曲線、充電電流特性曲線とを比較して時間を換算したり、あるいはバッテリの開路電圧から求めたバッテリ充電率と予め求めておいた充電率-充電時間テーブルとを参照して求める等、適宜手段によることができる。
【０００９】
携帯器６での充電終了情報の受信は、電気自動車１との直接の交信に加え、車両１から充電終了情報を取得して充電終了時刻等を表示する充電装置１０が使用される場合には、充電装置１０との交信により行うことができる。
【００１０】
また、携帯器６の交信手段は、無線、赤外線通信等、種々の手段によることができ、後述するように、携帯器６を充電装置１０の付属品とする場合には、有線による接続も可能である。
【００１１】
したがってこの発明において、電気自動車１を充電する際、充電の終了時刻等を携帯器６により常時確認できるために、充電中の時間を有効に活用することができる。
【００１２】
充電終了報告部４は、充電終了予定時間等を表示するだけで足りるが、充電終了想定時刻の到来を携帯器６所持者に知らせるためのアラームとして構成することができる。この場合、携帯器６には、充電終了情報に基づいて終了時を計時するタイマ７が設けられ、充電終了報告部４は、タイムアップ、すなわち、充電終了装置時刻の到来によりアラーム信号を出力する。
【００１３】
アラーム信号には、ビープ音、あるいはＬＥＤの点滅灯適宜の手段によるものが使用できる。
【００１４】
また、充電終了情報取得部３における充電終了情報の取得タイミングは、電気自動車１への充電開始をトリガとして自動化したり、あるいは携帯器６所持者の意思により適宜行うことが可能であり、携帯器６所持者の意思により充電終了情報を取得するように構成する場合、携帯器６には、情報要求スイッチ８と、この情報要求スイッチ８への押下操作により起動されて充電時間演算装置２に充電終了情報を問い合わせる問い合わせ部９が設けられる。
【００１５】
さらに、携帯器６はキーホルダ等として形成することが可能であるが、例えば、充電開始のスイッチ操作部材、あるいは充電ケーブルの連結、および解除キーのように、充電装置１０使用時充電装置１０の付属品として形成したり、あるいは車両１のキーレスエントリーシステムに対する認証キーを兼用するように構成することができる。
【００１６】
充電装置１０の付属部品として形成し、利用者に貸し出すように構成すると、利用者に充電終了を知らせることができるために、充電装置１０の利用効率を高めることが可能になり、車両１のキーレスエントリーシステムに対する認証キーを兼ねるように構成すると、使い勝手が向上する。
【発明の効果】
【００１７】
本発明によれば、専用のサーバ等を設置することなく、簡単に電気自動車の充電終了を知ることができる。
【図面の簡単な説明】
【００１８】
【図１】本発明を示すブロック図である。
【図２】電気自動車の充電動作を示すフローチャートである。
【図３】携帯器の動作を示すフローチャートである。
【図４】本発明の他の実施の形態を示すブロック図である。
【図５】図４における携帯器の動作を示すフローチャートである。
【図６】図４における電気自動車の動作フローを示す図である。
【発明を実施するための形態】
【００１９】
図１に示すように、充電終了案内システムは充電時間演算装置２と、携帯器６とを有して構成される。充電時間演算装置２は、電気自動車１に搭載される充電制御部１１に組み込まれる。
【００２０】
電気自動車１には、バッテリ１ａと、バッテリ充電装置１ｂが搭載され、バッテリ１ａへの充電は、充電装置１０と電気自動車１とを充電ケーブル１２により接続して行われる。充電ケーブル１２の両端には、充電装置１０のコンセント１０ａと電気自動車１の受電部１ｃに接続するためのプラグ、パドル等の配線接続器１２ａが設けられる。
【００２１】
コントローラ１３により制御されて作動する上記充電制御部１１は、バッテリ１ａの過充電によるバッテリ１ａ劣化等を防止するために、バッテリ充電装置１ｂからの供給電力を調整する。また、充電時間演算装置２は、バッテリ１ａの残量から満充電までの時間を演算してコントローラ１３に出力する。
【００２２】
バッテリ充電装置１ｂによる充電が開始されると、コントローラ１３は充電時間演算装置２により充電時間を演算した後、充電所要時間を充電終了情報セット部１４に充電終了情報としてセットし、通信部１５から出力する。
【００２３】
また、電気自動車１にはキーレスエントリー制御部１６が搭載される。キーレスエントリー制御部１６は、認証部１６ａ、およびＩＤ格納部１６ｂを含み、認証部１６ａは、後述する携帯器６から発信される認証用ＩＤが予めＩＤ格納部１６ｂ内に登録されているＩＤと一致するか否かにより携帯器６を認証する。認証部１６ａでの携帯器６の認証が成立すると、コントローラ１３は、錠操作部１６ｃに施解錠操作信号をセットしてドアロック１７を施解錠する。
【００２４】
一方、この実施の形態において携帯器６は、上記電気自動車１のキーレスエントリ制御部１６に対する認証用ＩＤ発信器として構成されており、制御部（ＣＰＵ１８）に接続されるＩＤ格納部１８ａと、施錠スイッチ１９ａ、および解錠スイッチ１９ｂとを有する。ＩＤ格納部１８ａには携帯器６固有の認証用ＩＤが格納されており、ＣＰＵ１８が施解錠スイッチ１９ａ、１９ｂに対する押下操作を検出すると、ＩＤ格納部１８ａ内の認証用ＩＤを通信部１８ｂにセットして電気自動車１の通信部１５に無線出力する。
【００２５】
さらに、携帯器６には、充電終了情報取得部３と、充電終了報告部４とが配置される。この実施の形態において充電終了情報取得部３は、通信部１８ｂが電気自動車１からの交信出力を受信した際に充電終了情報出力か否かを判定し、充電終了情報である場合には、当該情報を充電終了報告部４に通知する。
【００２６】
充電終了報告部４は、タイマ７と、図示しないドライブ部によりドライブされるブザー４ｂ、およびＬＥＤ４ｃを備える。タイマ７は、充電終了情報取得部３から充電終了情報を受領すると、充電終了情報に示される時間をセットし、計時を開始する。この後、充電終了報告部４は、タイマ７のタイムアップを待ち、タイムアップが検出されると、ブザー４ｂを吹鳴させるとともに、ＬＥＤ４ｃを点灯させて携帯器６所持者に充電終了を知らせる。
【００２７】
図２に上述したシステムの電気自動車１における動作フローを示す。まず、ユーザが充電開始を指示すると（ステップ１００）、充電制御部１１はバッテリ残量を確認し（ステップ１０１）、充電が必要ならば（ステップ１０２）バッテリ充電装置１ｂを介して充電を開始し（ステップ１０３）、必要でない場合には制御を終了する。
【００２８】
充電が開始されると、充電時間演算装置２は、充電完了までの所要時間を算出し（ステップ１０４）、充電終了情報セット部１４にセットした後、通信部１５から携帯器６に出力し（ステップ１０５）、制御を終了する。
【００２９】
一方、携帯器６は、図３に示すように、充電終了情報取得部３が電気自動車１から充電終了情報を受信すると（ステップ２００）、充電終了報告部４は当該充電終了情報に基づいてタイマ７をセットし（ステップ２０１）、タイムアップを監視する（ステップ２０２）。
【００３０】
タイマ７のタイムアップが検知されると、所定時間、ブザー４ｂの吹鳴、およびＬＥＤ４ｃの点灯の双方、あるいは一方を行って携帯所持者に充電の終了を知らせ（ステップ２０３）、制御を終了する。
【００３１】
したがってこの実施の形態において、電気自動車１の充電を開始すると、携帯器６には終了時刻が自動的にセットされて計時が開始され、充電が終了すると、アラーム等で知らせる。この結果、利用者は何等の意識をすることなく充電が完了するまで自由に時間を使うことができる。
【００３２】
図４以下に本発明の他の実施の形態を示す。なお、本実施の形態の説明において、上述した実施の形態と実質的に同一の構成要素は、図中に同一符号を付して説明を省略する。
【００３３】
この実施の形態は、充電終了情報取得部３における充電終了情報の取得タイミングを利用者の明示的な指示に委ねるもので、携帯器６の充電終了情報取得部３には、情報要求スイッチ８と、利用者による情報要求スイッチ８の押下により起動し、通信部１８ｂを経由して電気自動車１にリクエスト信号を出力する問い合わせ部９とが組み込まれる。
【００３４】
図５に示すように、情報要求スイッチ８が押下されると（ステップ３００）、問い合わせ部９からリクエスト信号を送信して、所定時間レスポンスを待ち（ステップ３０１）、レスポンスがなかった場合、電気自動車１との交信領域から外れていると考えられるために、必要時応じてアラート信号を出力して制御を終了する。これに対し、電気自動車１からのレスポンスがあった場合（ステップ３０２）、充電終了報告部４は当該充電終了情報に基づいてタイマ７をセットし（ステップ３０３）、タイムアップを監視する（ステップ３０４）。
【００３５】
タイマ７のタイムアップが検知されると、所定時間、ブザー４ｂの吹鳴、およびＬＥＤ４ｃの点灯の双方、あるいは一方を行って携帯所持者に充電の終了を知らせ（ステップ３０５）、制御を終了する。
【００３６】
一方、電気自動車１においては、図６に示すように、充電完了時間のデータリクエスト信号を受信すると（ステップ４００）、充電中か否かを判定し（ステップ４０１）、充電中でない場合には制御を終了する。これに対し、ステップ４０１で充電中であることが検出されると、充電完了までの時間を算出した後（ステップ４０２）、携帯器６に送信して制御を終了する（ステップ４０３）。
【符号の説明】
【００３７】
１        電気自動車
２        充電時間演算装置
３        充電終了情報取得部
４        充電終了報告部
５        ケース
６        携帯器
７        タイマ
８        情報要求スイッチ
９        問い合わせ部
１０      充電装置
【図１】
2010158133.tif 000003
【図２】
2010158133.tif 000004
【図３】
2010158133.tif 000005
【図４】
2010158133.tif 000006
【図５】
2010158133.tif 000007
【図６】
2010158133.tif 000008